(57)【要約】【課題】コインを収容可能で且つ柔軟性のある縫いぐるみを提供することを課題とする。【解決手段】柔軟性のある形象体を模して形成された縫いぐるみであって、前記縫いぐるみの口の部分にコインを投入可能な投入口と、前記縫いぐるみの内部に前記投入口から投入されたコインを収容する収容部で構成した。【選択図】図１
2006204347.tif 000002
【特許請求の範囲】
【請求項１】
形象体を模して形成された柔軟性のある縫いぐるみであって、前記縫いぐるみの口の部分にコインを投入可能な投入口と、前記縫いぐるみの内部に前記投入口から投入されたコインを収容する収容部とを設けたことを特徴とした縫いぐるみ。
【請求項２】
請求項１において、前記前記収容部の底面及び前記縫いぐるみの臀部に取出口を形成したことを特徴とした縫いぐるみ。
【請求項３】
請求項１又は２において、前記縫いぐるみには、音を出力可能な音声出力手段と、複数の音声情報が記憶された記憶手段と、前記記憶手段から音声情報を取出て前記音声出力手段へ出力する制御手段とを備えたことを特徴とした縫いぐるみ。
【請求項４】
請求項３おいて、前記投入口には、投入されたコインの特徴を検出する投入物検出手段を備え、前記制御手段は、前記投入物検出手段で検出されたコインの特徴に応じた音声出力を行うことを特徴とした縫いぐるみ。
【請求項５】
請求項３又は４おいて、前記縫いぐるみには、前記投入口から投入されたコインの回数を記憶する投入回数記憶手段を備え、前記制御手段は、前記投入回数記憶手段に記憶された数値に応じた音声出力を行うことを特徴とした縫いぐるみ。
【発明の詳細な説明】
【技術分野】
【０００１】
本発明は、コインを収容できる縫いぐるみに関するものである。
【背景技術】
【０００２】
従来、登録実用新案第３０５０２４４号公報「貯金箱」のように、郵便ポストを模したコインを収容可能なケースがあった。従来の形象体を模した剛性があるケース自体がコインを収容可能な収容部であるために、柔軟性にかけるものであった。
【０００３】
そこで従来の剛性があるコイン収容ケースより、柔軟性があって且つ趣向の高いコイン収容体が求められていた。
【特許文献１】登録実用新案第３０５０２４４号公報
【発明の開示】
【発明が解決しようとする課題】
【０００４】
そこで、本発明は、上記従来技術の問題点に斯かる実情に鑑みなされたもので、コインを収容可能で且つ柔軟性のある縫いぐるみを提供することを課題とする。
【課題を解決するための手段】
【０００５】
請求項１記載の発明は、形象体を模して形成された柔軟性のある縫いぐるみであって、前記縫いぐるみの口の部分にコインを投入可能な投入口と、前記縫いぐるみの内部に前記投入口から投入されたコインを収容する収容部とを設けたことを特徴とする。
【０００６】
請求項２記載の発明は、請求項１において、前記前記収容部の底面及び前記縫いぐるみの臀部に取出口を形成したことを特徴とする。
【０００７】
請求項３記載の発明は、請求項１又は２において、前記縫いぐるみには、音を出力可能な音声出力手段と、複数の音声情報が記憶された記憶手段と、前記記憶手段から音声情報を取出て前記音声出力手段へ出力する制御手段とを備えたことを特徴とする。
【０００８】
請求項４記載の発明は、請求項３おいて、前記投入口には、投入されたコインの特徴を検出する投入物検出手段を備え、前記制御手段は、前記投入物検出手段で検出されたコインの特徴に応じた音声出力を行うことを特徴とする。
【０００９】
請求項５記載の発明は、請求項３又は４おいて、前記縫いぐるみには、前記投入口から投入されたコインの回数を記憶する投入回数記憶手段を備え、前記制御手段は、前記投入回数記憶手段に記憶された数値に応じた音声出力を行うことを特徴とする。
【発明の効果】
【００１０】
請求項１記載の発明によれば、形象体を模して形成された柔軟性のある縫いぐるみの口からコインを投入し、縫いぐるみ内に設けた収容部内に収容されるようにすることによって、従来の形象体を模した剛性のある収容ケースに比べ、コイン収容可能で且つ柔軟性のある縫いぐるみとして提供することをできる。また、形象体を模した縫いぐるみの口からコインを食べさせるような仕掛けにすることによって、使用者の趣向を高めることができる。
【００１１】
請求項２記載の発明によれば、前記前記収容部の底面及び前記縫いぐるみの臀部に取出口を形成することによって、収容したコインを取り出しできる。
【００１２】
請求項３記載の発明によれば、前記縫いぐるみには、音を出力可能な音声出力手段と、複数の音声情報が記憶された記憶手段と、前記記憶手段から音声情報を取出して前記音声出力手段へ出力する制御手段とを備えることによって、音声を出力する事ができる。
【００１３】
請求項４記載の発明によれば、前記投入口には、投入されたコインの特徴を検出する投入物検出手段を備え、前記制御手段は、前記投入物検出手段で検出されたコインの特徴に応じた音声出力を行うことができる。例えば、縫いぐるみの口から食べさせたコインが、クッキーなどのお菓子を模したコインや、硬貨であること検出し、検出した物に応じて、様々な音声を出力することができる。
【００１４】
請求項５記載の発明によれば、前記縫いぐるみには、前記投入口に投入されたコインの回数を記憶する投入回数記憶手段を備え、前記制御手段は、前記投入回数記憶手段に記憶された数値に応じた音声出力を行うことができる。例えば、縫いぐるみの口から食べさせたコインの枚数が所定の枚数になると、「だいぶたまったよ」などと音声出力することができる。
【発明を実施するための最良の形態】
【００１５】
形象体を模して形成された柔軟性のある縫いぐるみであって、前記縫いぐるみの口の部分にコインを投入可能な投入口と、前記縫いぐるみの内部に前記投入口から投入されたコインを収容する収容部と、前記前記収容部の底面及び前記縫いぐるみの底部に取出し口を形成し、前記縫いぐるみには、音を出力可能な音声出力手段と、複数の音声情報が記憶された記憶手段と、前記記憶手段から音声情報を取出して前記音声出力手段へ出力する制御手段と、投入されたコインの特徴を検出する投入物検出手段と前記投入物検出手段と、前記投入口に投入されたコインの回数を記憶する投入回数記憶手段を設けた。
【実施例】
【００１６】
以下、図を参照して、本発明を適用した実施の形態について説明する。図１は本発明を適用した縫いぐるみの外観を示す正面図であり、
図２は、縫いぐるみの背面図である。縫いぐるみ１０は、頭部、胴部、腕部、脚部からなる形象体を模した形に形成された縫いぐるみである。実施例の縫いぐるみ１０は、動物のコアラを模して形成されているが、コアラに限定されずキャラクター・動物・ロボットなどの様々形象体を模して形成してもよい。
【００１７】
縫いぐるみ１０は、縫いぐるみ１０の内部にコイン４４を収容可能とした縫いぐるみであり、コイン４４を縫いぐるみ１０内部に投入する際に、様々な音声出力を行う縫いぐるみである。
【００１８】
この縫いぐるみ１０の外装は、柔軟性のある布地で形成され、縫いぐるみ１０の内部には、綿などが詰められている。また、縫いぐるみの頭部には、目、口１２の刺繍などを施すと共に、鼻、耳などを模したアップリケなどが縫いつけられている。該縫いぐるみ１０の、頭部及び胴部の内部に収容ケース２０が内部に納められている。このことにより、縫いぐるみ１０の腕部、脚部は自在に動かすことができる。
【００１９】
また、縫いぐるみ１０の口１２の中央部分には開口が形成され、収容ケース２０に形成された投入口２２と連通している。また、図２に示すように、縫いぐるみ１０の背面の臀部には、務歯１８とスライダー１６からなるファスナー１４が設けられている。務歯１８は、臀部から頭部方向に直線状に取付けられ、該務歯と係合するスライダー１４を摺動させると、縫いぐるみ１０の背面臀部を開口させることができる。また、スライダー１４を逆方向へと摺動させることにより、縫いぐるみ１０の背面臀部の開口を閉じることを可能としている。
【００２０】
コイン４４は、円盤状に形成された板である。実施例では、１〜５００円からなる硬貨（コイン）と、クッキーなどを模した円盤状のコインで形成されたコイン４４などのコイン４４を使用できる。
【００２１】
次に、図３及び図４を用いて収容ケースの説明を行う。図３（Ａ）は、収容ケースの正面図であり、図３（Ｂ）は、収容ケースの背面図である。また、図４は、縫いぐるみの内部を示す断面図である。
【００２２】
収容ケース２０は、三角錐状の上方を球状とした形に形成されている。該球状に形成され部分は、縫いぐるみ１０の頭部内部に納められ、三角錐状に形成された下方は、胴部内部に納められるようになる。収容ケース２０の下方を三角錐状に形成することによって、縫いぐるみ１０を座位状態にした場合において、通常の縫いぐるみに比べ、非常に安定した座位姿勢をとることができる。
【００２３】
収容ケース２０の上方である球状に形成された外周面に、投入口２２が形成され、縫いぐるみ１０の口１２の開口と連通するようになっている。また、投入口２２の対向面には、音声出力を行うスピーカー４２が配設されている。
【００２４】
また、収容ケース２０の下方である三角錐状に形成された背面には、電池３４を納める凹部２８が形成されている。該凹部２８には、電池３４が納められる。また該凹部を覆う蓋となる電池蓋３６は、収容ケース２０に螺嵌されている。該電池３４は、縫いぐるみ１０の音声出力を行うために使用する装置に対して電池供給を行う。
【００２５】
収容ケース２０の底面には、収容ケース２０内に収容されたコイン４４を取り出しする為の開口である取出口３０が形成されている。また該取出口３０の開口を覆う取出口蓋３２は、該取出口３０を覆うように収容ケース２０に着脱自在に形成されている。
【００２６】
収容ケース２０の下方である三角錐状に形成された内部には、直方体状で内部を中空に形成された収容部２６が内設されている。該収容部２６の上端面には、投入口２２から投入されたコイン４４を収容部２６へと導く投入路２４が形成されている。また、収容部２６の底面は、収容ケース２０に形成された取出口３０と連通した開口路が形成され、収容部２６内に収容されたコイン４４を取出口３０より取出し可能となっている。
【００２７】
また、収容ケース２０には、音声を出力するスピーカー４２、投入物検出手段４０、制御手段３８を設け、制御手段３８は、音声情報を記憶した記憶手段と、投入口に投入されたコイン４４を検出した回数を記憶する投入回数記憶手段で構成されている。
【００２８】
記憶手段には、複数の音声情報が記憶されている。実施例では、「お金をいっぱい貯めてね。」「お金がだいぶ貯まったよ。」などの言葉による音声情報に加えて、形象体が動物の場合には、その動物の鳴き声などの音声情報が記憶されている。この他にも、音楽の音声情報が記憶されているようにしても構わない。
【００２９】
投入物検出手段２０は、コイン４４の特性を検出するセンサー或いはスイッチある。該コイン４４の特性は、コインの重さ、コインの大きさ、磁性体の有無、などからコイン４４の特性の検出を行うことができる。実施例では、クッキーを模した円盤状のコイン４４を磁性体で形成することによって、磁性体でない硬貨とクッキー４４を模した円盤状のコイン４４との識別を可能としている。
【００３０】
投入物検出手段２０で、クッキーを模したコイン４４が検出された場合には、制御手段３８は、スピーカー４２に対して「クッキーおいしいね」と音声出力を行わせることができる。また、硬貨が投入された場合には、「お金をいっぱい貯めてね。」と音声出力を行うようにすることができる。さらに、投入された硬貨の大きさ及び重さなどから、特定の硬貨が投入されたと検出された場合には、該硬貨に対応した音声を出力するようにしてもよい。
【００３１】
投入回数記憶手段は、投入物検出手段２０でコイン４４を検出した回数を記憶する手段である。このことによって、収容部２６内に、収容されたコイン４４の枚数などを記憶することができる。制御手段３８は、この投入枚数記憶手段に記憶された回数が所定の回数になると、スピーカー４２に、「お金がだいぶ貯まったよ。」などと音声出力を行うように制御する。
【００３２】
ぬいぐるみ１０の使用例を説明する。使用者は、縫いぐるみ１０の口１２の中央部分投入口２２から、コイン４４の投入を行う。投入物検出手段２０で、投入されたコイン４４が、クッキーを模したコイン４４か硬貨であるかをコイン４４の特性より検出され、制御手段３８に出力される。制御手段３８は、コイン４４の検出されたことにより、投入回数記憶手段に記憶されている回数に対して１加算を行い、投入回数記憶手段に加算した回数を記憶させる。また投入されたコイン４４は、投入路２４を介して収容部２６内に収容される。
【００３３】
その後、制御手段３８は、投入された回数と投入物検出手段２０で検出されたコイン４４の特性に応じて、記憶手段から対応する音声情報を引き出し、スピーカー４２より音声出力を行うように制御される。
【００３４】
このことによって、使用者は、投入したコイン４４に応じて様々な音声を返してくる縫いぐるみ１０に対して趣向を高めることができると共に、硬貨などの貯蓄する楽しみ得ることができる。また、収容されたコイン４４は、縫いぐるみ１０の背面に形成されたファスナーを操作し、縫いぐるみ１０の背面を開口し、収容ケース２０の底面に係合している取出口蓋３２を外すことによって、取出し可能である。
【００３５】
次に、図５は、縫いぐるみを吊下げした時の例である。縫いぐるみ１０の頭部の上端に環状の紐を取付けて、該紐によって縫いぐるみ１０を吊下げした状態で使用可能としている。また、吊下げ時の縫いぐるみ１０内の収容ケース２０の下方の形状は、図示しないが円柱形状で形成されている。この収容ケース２０の形状は、縫いぐるみ１０の形状に応じて、円柱形状や直方体形状など、様々な形状に形成することが可能である。
【００３６】
この以上説明したように構成することにより、コインを収容可能で且つ柔軟性のある縫いぐるみを提供することができる。また、好ましい実施例を挙げて本発明を説明したが、本発明はその実施例に限定されるものではなく、特許請求の範囲に記載した技術的範囲内で種々に改変できる。
【図面の簡単な説明】
【００３７】
【図１】本発明の一実施例である縫いぐるみの外観を示す正面図である。
【図２】本発明の一実施例である縫いぐるみの外観を示す背面図である。
【図３】本発明の一実施例である縫いぐるみの収容ケースの外観を示す図である。
【図４】本発明の一実施例である縫いぐるみの断面図を示す図である。
【図５】本発明の一実施例である縫いぐるみを使用した実施の例である。
【符号の説明】
【００３８】
１０    縫いぐるみ
１２    口
１４    ファスナー
１６    スライダー
１８    務歯
２０    収容ケース
２２    投入口
２４    投入路
２６    収容部
２８    凹部
３０    取出口
３２    取出口カバー
３４    電池
３６    電池カバー
３８    制御手段
４０    投入物検出手段
４２    スピーカー
４４    コイン
【図１】
2006204347.tif 000003
【図２】
2006204347.tif 000004
【図３】
2006204347.tif 000005
【図４】
2006204347.tif 000006
【図５】
2006204347.tif 000007